(57)【要約】  【課題】  複数種の視聴制限方式の設定毎にパスワードを入力する必要がなくなり、設定操作が簡易になってユーザーの負担を軽減することができる視聴制限設定方法を提供する。【解決手段】  制御手段１６が視聴制限の設定を開始するときは、表示手段１０の画面１０ａにパスワード入力用のサインを表示させた後、入力パスワードを認証してから視聴制限方式の全てを並列表示させるとともに、その何れかを選択させる選択用サインを表示させることにより、前記視聴制限方式を個別に設定する毎にパスワードの入力を要求する過程を省略した。【選択図】      図  1
2006180115.tif 000002
【特許請求の範囲】
【請求項１】
情報記録媒体のＡＶ情報を再生する再生装置により複数種の視聴制限方式の何れかを選択的に設定するとき、制御手段が表示手段に対し選択された視聴制限方式名とともにパスワードの入力を促すサインをモニタの画面上に表示させた後、入力パスワードを認証してから当該視聴制限方式の設定を行う視聴制限設定方法において、
前記制御手段が前記視聴制限の設定を開始するときは、前記画面に前記パスワード入力用のサインを表示させた後、入力パスワードを認証してから前記視聴制限方式の全てを並列表示させるとともに、その何れかを選択させる選択用サインを表示させることにより、前記視聴制限方式を個別に設定する毎にパスワードの入力を要求する過程を省略したことを特徴とする視聴制限設定方法。
【請求項２】
前記視聴制限方式が、パレンタルと、前記ＡＶ情報の映像信号に含まれる字幕情報から特定の言葉を排除する言葉制限と、前記字幕情報から特定の言葉を他の言葉に置き換える言葉置換と、を含むことを特徴とする請求項１に記載の視聴制限設定方法。
【請求項３】
前記特定の言葉が、前記言葉制限および言葉置換の判別基準に応じてそれぞれ定められ、言葉データとして前記再生装置のメモリに記憶されていることを特徴とする請求項１または２に記載の視聴制限設定方法。
【発明の詳細な説明】
【技術分野】
【０００１】
本発明は、ＤＶＤ(Digital Versatile Disc)等に記録されたＡＶ情報の再生時に視聴制限を行う視聴制限設定方法に係り、特に、ＴＶＧ（Television      Guardian）やパレンタルロック等の視聴制限を設定する際の入力操作を簡便にし得る視聴制限設定方法に関する。
【背景技術】
【０００２】
子供に教育上好ましくないものを見せないようにする視聴制限は、放送番組や光ディスクの再生装置等に応じた方式が採用されている。
【０００３】
ディジタル放送システムでは、視聴制限の一種であるパレンタル情報の設定が放送局側に任されていた。
【０００４】
このため、基準値の設定の仕方によっては視聴制限したい番組が視聴できたり、視聴制限したくない番組が制限されたりする問題が生じていた。
【０００５】
そこで、この不具合を解消することを目的としたディジタル放送受信装置が提案されている（例えば、特許文献１参照）。
【０００６】
この受信装置は、放送局から放送される番組について、放送局側で予め設定されたパレンタル値およびユーザーが任意に設定するセルフパレンタル値を含む番組情報を番組情報メモリに記憶しておく。
【０００７】
そして、放送受信に際しユーザーによって特定番組の視聴が指示された場合、番組情報管理部が特定番組の番組情報を番組情報メモリから読み出す。
【０００８】
次に、パレンタル判定部が特定番組の番組情報と放送受信装置に予め設定された基準値とに基づいて、この特定番組が視聴制限された番組であるか否かを判定する。
【０００９】
続いて、制御部がこの判定結果に従って特定番組の許可／不許可を関係各部に指示するようになっている。
【００１０】
このため、放送局側の番組視聴制限とは別に、ユーザーの意思に応じた番組視聴制限を行えるというものである。
【特許文献１】特開２００４−７４１５号公報  また、ＤＶＤ等の光ディスクを再生する再生装置では、簡易な操作で適切なパレンタルレベルを設定可能とし得る記録媒体再生装置が知られている（例えば、特許文献２参照）。
【００１１】
この記録媒体再生装置は、記憶部、パレンタルレベル記憶部、ＯＳＤ表示出力部および制御部等を備えている。
【００１２】
パレンタルレベルを設定するときは、予め設定されたパレンタルレベルおよび記録媒体に記録されたパレンタルレベルをＯＳＤ表示出力部に出力した後、前記設定されたパレンタルレベルをパレンタルレベル記憶部に記憶しておく。
【００１３】
そして、記録媒体に記録されたパレンタルレベルに基づいて設定されたパレンタルレベルにより記録媒体を再生するようになっている。
【００１４】
これにより、記録媒体に記録されたパレンタルレベルを簡単に確認できるから、簡便な操作で適切なパレンタルレベルを設定可能になるというものである。
【特許文献２】特開２００２−３２５２３２号公報  さらに、パレンタル等の視聴制限機能を所期通り有効に発揮させることを目的とした記録再生装置および記録再生方法も提案されている（例えば、特許文献３参照）。
【００１５】
このものは、書き換え不可の記録媒体固有のシリアル番号と、プログラム（コンテンツ）と、視聴制限設定の有無に関連付けた視聴制限情報とを視聴制限メモリに記憶する。
【００１６】
そして、再生時にセットされた記憶媒体のシリアル番号と視聴制限メモリのシリアル番号とが一致するとき、その一致のプログラム再生を飛ばす。また、メニュー表示において、そのプログラムを表示の候補から外すようにする。
【００１７】
これにより、視聴制限のかかったコンテンツが記憶されていることを知られないから、記憶媒体の再生時に視聴制限をかけていることを第三者に知られることがないというものである。
【特許文献３】特開２００１−３５７６１１号公報
【発明の開示】
【発明が解決しようとする課題】
【００１８】
ところで、上記特許文献１〜３は、何れもユーザーに対しパスワードの入力を要求するようになっている。
【００１９】
すなわち、特許文献１のディジタル放送受信装置は、セルフパレンタル値を設定／変更するとき、また、特許文献２の記録媒体再生装置は、パレンタルレベルを設定する際に、さらに、特許文献３の記録再生装置および記録再生方法は、パレンタルを設定する場合にパスワードの入力がそれぞれ必要である。
【００２０】
そして、このパスワードを要求するときは、何れもモニタ等の画面にパスワードの入力を促す文字やサインを表示させ、この後、入力するパスワードが予め登録されたパスワードのデータと一致したときに視聴制限の設定や変更を可能としている。
【００２１】
このようなパスワードの入力は、パレンタルレベルの他に、近時、ディスク再生装置において視聴制限の一種に採用されているTVG（言葉制限）にも同じく必要である。
【００２２】
このTVGは、映画等を記録したＤＶＤをプレイヤーで再生するとき、読み出したＡＶ情報の映像信号に含まれる字幕情報から特定の言葉を排除するために設定される。
【００２３】
この排除の対象としては、差別的、暴力的な言葉を発するシーンやその音声を含み、再生時にカットする。
【００２４】
このTVG設定も、やはり画面にTVGを表示するとともにパスワードの入力を促す文字やサインを表示させる。そして、これが認証されたときにTVGの設定を可能としている。
【００２５】
このように、パレンタルレベルやTVGの設定では、画面に表示された指示に従って各個にパスワードを入力しなければならず、入力操作の回数が増えて時間もかかることから、ユーザーの負担となっていた。
【００２６】
本発明は、上記課題に鑑みてなされたもので、複数種の視聴制限方式の設定毎にパスワードを入力する必要がなくなり、設定操作が簡易になってユーザーの負担を軽減することができる視聴制限設定方法を提供することを目的としている。                 
【課題を解決するための手段】
【００２７】
上記目的を達成するため、本発明による視聴制限設定方法は、情報記録媒体のＡＶ情報を再生する再生装置により複数種の視聴制限方式の何れかを選択的に設定するとき、制御手段が表示手段に対し選択された視聴制限方式名とともにパスワードの入力を促すサインをモニタの画面上に表示させた後、入力パスワードを認証してから当該視聴制限方式の設定を行う視聴制限設定方法において、前記制御手段が前記視聴制限の設定を開始するときは、前記画面に前記パスワード入力用のサインを表示させた後、入力パスワードを認証してから前記視聴制限方式の全てを並列表示させるとともに、その何れかを選択させる選択用サインを表示させることにより、前記視聴制限方式を個別に設定する毎にパスワードの入力を要求する過程を省略したことを特徴としている。
【００２８】
また、前記視聴制限方式が、パレンタルと、前記ＡＶ情報の映像信号に含まれる字幕情報から特定の言葉を排除する言葉制限と、前記字幕情報から特定の言葉を他の言葉に置き換える言葉置換と、を含むことを特徴としている。
【００２９】
また、前記特定の言葉が、前記言葉制限および言葉置換の判別基準に応じてそれぞれ定められ、言葉データとして前記再生装置のメモリに記憶されていることを特徴としている。
【発明の効果】
【００３０】
以上説明したように、本発明による視聴制限設定方法は、画面にパスワード入力用のサインを表示させた後、入力パスワードを認証してから視聴制限方式の全てを並列表示させるとともに選択用サインを表示させることにより、視聴制限方式を個別に設定する毎にパスワードの入力を要求する過程を省略したので、従来のように、視聴制限方式の設定の度にパスワードを入力する必要がなくなり、設定操作が簡易になってユーザーの負担が軽減される効果がある。
【００３１】
また、前記視聴制限方式が、パレンタル、言葉制限および言葉置換を含むことから、その何れを設定する場合でもパスワードの入力が1回で済む利点がある。
【００３２】
また、前記特定の言葉が、言葉制限および言葉置換の判別基準に応じてそれぞれ定められ、言葉データとして再生装置のメモリに記憶されるので、視聴制限の必要な程度に合った言葉を任意に設定できる利点がある。
【発明を実施するための最良の形態】
【００３３】
以下、本発明の視聴制限設定方法の実施形態について、図面を参照しながら詳述する。
【００３４】
図１は、本発明の一実施形態である視聴制限設定方法に係るディスク再生装置の電気的構成を示すブロック線図である。
【００３５】
本実施形態のディスク再生装置は、ＤＶＤプレイヤー１に適用されたもので、リモコン (リモートコントローラ) １６の押キー操作によりＤＶＤ２の記録情報を再生し、図2に示すモニタ１０の画面１０ａに所望の映像を表示させる構成になっている。
【００３６】
このＤＶＤ２は、リードインエリヤ、ユーザーデータエリヤおよびリードアウトエリヤからなり、ユーザーデータエリヤに、例えば、映画番組等の映像・音声情報（ＡＶ情報）が記録される。
【００３７】
このＤＶＤ２は、ユーザーデータエリヤにＡＶ情報をディジタルデータで書き込むとき、スパイラル状の記録トラックにおける細かなポイント(位置)を示すためのアドレスが予めふられている。このアドレスは、ＡＶ情報の最初の記録位置から最後の記録位置までの経過時間に対応している。
【００３８】
そして、リードインエリヤのＴＯＣ領域には、各チャプターおよび各タイトルの記録位置が、記録開始位置(タイトル番号１のチャブター１番目)からの経過時間情報に対応させたアドレスデータで記録されている。
【００３９】
よって、このＴＯＣ領域のデータが読み出されると、記録トラックのユーザーデータエリヤに記録された映画等のタイトル番号、チャプター番号、これらの記録開始および終了位置、さらに、詳細な記録時間等をモニタ１０の画面１０aに表示可能である。
また、このリードインエリヤには、テキストデータが記録される構造になっている。このテキストデータは、視聴制限に関した情報をサブコードで記録することができる。
このサブコードは、ディジタルデータとともに記録されている制御表示用信号であり、Ｐ，Ｑ，Ｒ，Ｓ，Ｔ，Ｕ，Ｖ，Ｗの８チャンネルからなる。
Ｐ，Ｑのチャンネルは、通常の再生において制御および表示に使用されており、Ｒ，Ｓ，Ｔ，Ｕ，Ｖ，Ｗの６チャンネルにテキストデータを記録する。
そして、前記ＤＶＤ１の再生時、リードインエリヤから読み取られた情報がデコードされた後、この６チャンネルのテキストデータが８ビットの文字情報に変換される。
【００４０】
このため、視聴制限に関した各種情報をモニタ１０の画面１０ａに表示することが可能になる。
【００４１】
なお、リードアウトエリヤには、ＡＶ情報の記録が終了したことを示すデータが書き込まれる。
【００４２】
図１において、３は駆動系のモータであり、前記ＤＶＤ２を載置するトレイを回転駆動させる。また、４は光ピックアップであって、ＤＶＤ２のトラックから光学的に読み取った情報をRFアンプを介して信号処理部（図示省略）に送出する。
【００４３】
この信号処理部は、読出部６および制御部１６に接続されており、前記読取情報を信号処理してそれぞれに伝送する。
【００４４】
なお、モータ３や光ピックアップ４は、サーボ制御部５により動作速度が制御されるようになっている。
【００４５】
前記読出部６は、ＤＶＤ２から読み出された圧縮映像音声データを分離化部７に送出する。また、この分離化部７は、圧縮映像音声データを圧縮映像データバケットと圧縮音声データバケットとに分離し、伸長部８へ伝送する。
【００４６】
この伸長部８は、前記分離化部７にて分離された圧縮映像データバケットおよび圧縮音声データバケットをそれぞれ復号して元の映像音声情報に伸長する。
これら読出部６、分離化部７および伸長部８は、一般のデコーダＩＣによって構成されている。
【００４７】
また、９は映像情報出力部であって、端子部を介してテレビ等のモニタ１０に接続されている。この映像情報出力部９は、前記伸長部８により伸長された映像データをモニタ１０の画面１０ａに表示させるべくＮＴＳＣあるいはＰＡＬ方式のカラーテレビジョン信号に変換して出力する。
【００４８】
１１は音声情報出カ部であって、端子部を介してスピーカ１２に接続されており、前記伸長部８によって伸長された音声データをスピーカ１２に送出して放音させる。
【００４９】
１３は、OSD（On Screen Display）用の表示回路であり、出力が映像情報出力部９に接続されている。そして、制御部１６の表示制御に基づき、映像情報出力部９にOSD信号を出力し、モニタ１０の画面１０ａにメニューやパスワードの入力による視聴制限方式の設定内容等を表示させる。
【００５０】
１４はリモコンであり、リモコン本体にはDVDプレイヤー１を操作するための各種操作キーが配設されている。
この操作キーとしては、一般のリモコンと同様、電源オン・オフ用のパワーキーやトレイ開閉用の開閉キー、また、テンキー、メニューキー、設定キー、決定キーおよびカーソルキー等を備えている。
テンキーには、各数字キーに文字や記号が割り当てられており、モード切替によってパスワードの入力が可能となる。
【００５１】
メニューキーは、画面１０aにメニュー（MENU）を表示させる指令を出力する。設定キーは、各種設定を開始する指令を出力する。決定キーは、前記キーの操作に応じて画面１０aに表示された選択項目を決定する指令を出力する。
【００５２】
カーソルキーは、機能キーを兼ねており、上下左右に配置された各キーにプレイ、ストップ、早送り、早戻し機能が割り当てられている。
【００５３】
このカーソルキーは、メニューキーでモニタ１０の画面１０ａにメニューを表示させたときに何れかを操作すると、画面１０ａ上のカーソルを移動させて所望の項目を選択する指令を出力するようになっている。
【００５４】
このように構成されたリモコン１４は、何れかのキーが押圧操作されると、この操作内容に応じた情報が赤外線信号でDVDプレイヤー１側に送信される。
【００５５】
１５は受信部であり、リモコン１４から送信されてくる赤外線信号を受信して、その伝送信号を制御部１６側に送出する。
【００５６】
１６はマイクロコンピュータからなる制御部であり、メモリ１６ａを備えていて、装置全体の動作を制御する。この制御部１６は、回路各部とその機能に応じて一方向または双方向性に接続されている。
そして、リモコン１６からの指令信号に対応したモードに移行し、サーボ制御部５に制御信号を送出して駆動機構を制御することにより、通常の再生、スロー再生、早送り、早戻しおよび停止といった各種動作を実行する。
【００５７】
また、前記読出部６、分離化部７および伸長部８等の動作制御を行い、ＤＶＤ２の記録情報を読み出してモニタ１０の画面１０ａに映像を表示させ、かつスピーカ１２から音声を放音させる。
【００５８】
さらに、この制御部１６は、視聴制限方式の設定時に表示回路１３を制御しパレンタル、TVGおよび言葉置換の３種類を一度に並列表示するといった制御を行う構成となっている。
【００５９】
メモリ１６ａは、視聴制限方式であるパレンタルレベル、言葉制限および言葉置換に関したデータを所定エリヤのデータテーブルにそれぞれ記憶している。
【００６０】
パレンタルレベルは、ALLと１，２，３等の数値で示した段階的規制である（図6参照）。ALLは、全てに視聴制限をかける基準であり、規制段階は１，２，３と数値が増すに従って視聴制限のレベルを厳しくしている。
【００６１】
また、言葉制限は、前記ＴＶＧであり、ＡＶ情報（映像音声信号）のうち、映像信号に含まれる字幕情報から特定の言葉を排除するもので、モードやジャンル等に応じて視聴制限をかけられるように、予め選択した言葉のデータを記憶してある。
【００６２】
具体的には、差別的、暴力的な言葉を発するシーンやその音声等を含む。
【００６３】
さらに、言葉置換は、前記字幕情報のうち、視聴制限をかけるべき特定の言葉を他の言葉に置き換えるもので、該当する用語に対応させた言葉のデータを記憶してある。
【００６４】
次に、上記ＤＶＤプレイヤーの動作について、図を参照しつつ説明する。
【００６５】
ユーザーがＤＶＤ２を再生する場合、予めこのＤＶＤプレイヤー１の視聴制限設定を行っておく。
【００６６】
まず、ユーザーがリモコン１４のパワーキーをオンにしてＤＶＤプレイヤー１を立ち上げる。続いて、メニューキーを操作すると、制御部１６はこの指令に基づいて表示回路１３を制御し、モニタ１０の画面１０ａにメニューを表示させる。
【００６７】
このメニューは、図２に示すように登録、初期設定、初期化等であり、ユーザーが初期設定を選択すると、制御部１６は初期設定モードに移行し（ステップＳ１１）、図３に示す如く言語、画面、音声および視聴制限といった初期設定項目を表示させる（ステップＳ１２）。
【００６８】
ここで、ユーザーが視聴制限を選択操作すると、制御部１６は視聴制限の設定を開始する（ステップＳ１３）。
【００６９】
そして、図４に示すような「視聴制限」や「パスワードを入力して下さい。」の文字とともに空白を表示させる（ステップＳ１４）。
【００７０】
ここで、ユーザーがパスワードを入力すると、制御部１６は入力パスワードが予め登録されたパスワードと正しいか否かを判別する（ステップＳ１５）。
【００７１】
このパスワードの正しいことが認証されると、制御部１６は、図５に示すように、パレンタルレベル、TVG（言葉制限）および言葉置換といった視聴制限の種別を画面１０ａに表示させる（ステップＳ１６）。
【００７２】
このとき、ユーザーがTVGを選択すると、TVGの設定を開始し（ステップＳ１７）、図６に示す如くモード、ジャンル等の種別を表示させる（ステップＳ１８）。
【００７３】
これにより、ユーザーは簡便にTVGの何れかの視聴制限を設定することができる。
【００７４】
一方、ステップＳ１６でユーザーがパレンタルレベルを選択すると、パレンタルの設定を開始し（ステップＳ１９）、図６に示すように、視聴制限の範囲としてＡＬＬおよび各レベルを表示させる（ステップＳ２０）。
【００７５】
ユーザーがこれに応じて選択操作すると、ALLまたは何れかのパレンタルレベルが設定される。
【００７６】
なお、ユーザーが言葉置換を選択したときは、言葉置換の設定を開始し、図示省略しているが、視聴制限の範囲として言葉置換のレベルを表示させる。そして、この置換レベルに応じた設定を行う。
【００７７】
このように、ユーザーは、パレンタルレベル、TVGまたは言葉置換の何れかを１つのパスワードを入力する簡易な操作により、簡便に視聴制限の設定を行うことができる。
【００７８】
続いて、制御部１６は視聴制限の設定を終了するか否かを判別し（ステップＳ２１）、設定終了の指令があると一連の設定動作を終了する。
【００７９】
この後、ユーザーがＤＶＤ２を再生する場合、トレイにセットしてリモコン１４のプレイキーを操作する。
【００８０】
すると、制御部１６がサーボ制御部５を動作させて、ピックアップ４によりＤＶＤ２のリードインエリヤからテキストデータを含む管理情報を読み取らせる。
この管理情報が、デコーダＩＣを介して視聴制限に関した情報が制御部１６に入力すると、この制御部１６はメモリ１６ａから予め記憶されている視聴制限方式のデータを読み取る。
そして、予め設定された視聴制限方式に従い、デコーダＩＣから音声出力部１１に送出される再生音声に視聴制限をかける。
このときは、パレンタルレベル、TVGまたは言葉置換といった視聴制限方式の内容に応じた視聴制限をかける。
この結果、子供に限らず成人に対しても、不具合のある言葉に制限をかけたり他の言葉に置き変えて、スピーカ１２から放音させることができる。
【００８１】
なお、本発装置明は上記の各実施形態に限定されず、本発明の趣旨を逸脱しない範囲で、種々の変更が可能である。
【図面の簡単な説明】
【００８２】
【図１】本発明の一実施形態である視聴制限設定方法に係るディスク再生装置の電気的構成を示すブロック線図である。
【図２】モニタに表示されたメニューの項目を示す画面図である。
【図３】モニタに表示された初期設定の項目を示す画面図である。
【図４】モニタに表示されたパスワード入力を示す画面図である。
【図５】モニタに表示された視聴制限の種別を示す画面図である。
【図６】モニタに表示されたTVGの項目を示す画面図である。
【図７】モニタに表示されたパレンタルレベルの項目を示す画面図である。
【図８】視聴制限の設定動作を説明するためのフローチャートである。
【符号の説明】
【００８３】
１      ディスク再生装置
１０    表示手段
１０ａ  画面
１６    制御手段
１６ａ  メモリ
【図１】
2006180115.tif 000003
【図２】
2006180115.tif 000004
【図３】
2006180115.tif 000005
【図４】
2006180115.tif 000006
【図５】
2006180115.tif 000007
【図６】
2006180115.tif 000008
【図７】
2006180115.tif 000009
【図８】
2006180115.tif 000010